(57)【要約】【課題】ＣＭは不特定の番組中に埋め込まれて送出されるため、ＣＭ提供を望む者とその視聴者が必ずしも一致しない。【解決手段】特定情報登録手段には予め視聴者がＣＭ提供を望む製品・分野などに関する情報を登録しておく。ＣＭ情報抽出手段で、現在放送中のＣＭを検出するとともにＣＭの詳細情報を抽出する。抽出された詳細情報と特定情報登録手段に登録されている情報とを比較し、一致していた場合、裏番組受信手段で該当ＣＭを放送するチャンネルを受信する。該当ＣＭと主番組とは合成手段により合成され、主番組は表示手段の親画面に、ＣＭは子画面に表示される。【選択図】  図１
2004236269.tif 000002
【特許請求の範囲】
【請求項１】
主番組を受信する主番組受信手段と、
主番組と同一の時間帯に放送されている番組（以下、裏番組と呼ぶ）を受信する裏番組受信手段と、
主番組と裏番組を合成する合成手段と、
番組を表示する表示手段と、
前記裏番組受信手段から  ＣＭの詳細情報を抽出するＣＭ情報抽出手段と、
ＣＭの詳細情報を蓄積するＣＭ情報蓄積手段と
前記ＣＭ情報に基づいて裏番組を主番組に合成するように前記合成手段を制御する制御手段と
を備えたことを特徴とする広告情報受信装置。
【請求項２】
受信するＣＭを規定するＣＭ特定情報を登録・蓄積するＣＭ特定情報登録手段を備え、前記制御手段は前記ＣＭ特定情報と前記ＣＭ情報に基づいて前記合成手段を制御することを特徴とする、請求項１記載の広告情報受信装置。
【請求項３】
前記合成手段は、主番組を親画面に、裏番組で放送されるＣＭを子画面に表示することを特徴とする請求項１または２のいずれか１項に記載の広告情報受信装置。
【請求項４】
前記制御手段は、複数のＣＭが同時に裏番組として放送されており、かつ、複数のＣＭに関して前記ＣＭ特定情報と前記ＣＭ詳細情報が合致した場合、ＣＭ特定情報を構成するデータのうち、より優先順位が高いデータが合致した方のＣＭを受信するように前記裏番組受信手段と前記合成手段を制御することを特徴とする請求項２記載の広告情報受信装置。
【請求項５】
前記制御手段は、複数のＣＭが同時に裏番組として放送されており、かつ、複数のＣＭに関して前記ＣＭ特定情報と前記ＣＭ詳細情報が合致した場合、合致したデータの個数が多い方のＣＭを受信するように前記裏番組受信手段と前記合成手段を制御することを特徴とする、請求項２記載の広告情報受信装置。
【請求項６】
前記主番組を受信するステップと、前記主番組と同一の時間帯に放送されている裏番組を受信するステップと、前記主番組と裏番組を合成するステップと、前記番組を表示するステップと、前記ＣＭの詳細情報を抽出するステップと、前記ＣＭの詳細情報を蓄積するステップと、前記裏番組の受信および主番組と裏番組の合成を制御するステップとを有することを特徴とする広告情報受信方法。
【請求項７】
前記受信するＣＭを規定するＣＭ特定情報を登録・蓄積するステップを有することを特徴とする、請求項８記載の広告情報受信方法。
【請求項８】
裏番組で放送されるＣＭの開始・終了を検出し、主番組を親画面に、裏番組で放送されるＣＭを子画面に表示することを特徴とする請求項８から９のいずれか一項に記載の広告情報受信方法。
【請求項９】
複数のＣＭが同時に裏番組として放送されており、かつ、複数のＣＭに関して前記ＣＭ特定情報と前記ＣＭ詳細情報が合致した場合、ＣＭ特定情報を構成するデータのうち、より優先順位が高いデータが合致した方のＣＭを受信することを特徴とする請求項７記載の広告情報受信方法。
【請求項１０】
複数のＣＭが同時に裏番組として放送されており、かつ、複数のＣＭに関して前記ＣＭ特定情報と前記ＣＭ詳細情報が合致した場合、合致したデータの個数が多い方のＣＭを受信することを特徴とする、請求項７記載の広告情報受信方法。
【発明の詳細な説明】
【０００１】
【発明の属する技術分野】
本発明は広告情報の受信方法、および、広告情報を受信する受信装置に関する。
【０００２】
特に映像、音声、データ、および、番組に関連する番組付加情報を含むテレビジョン放送において提供される、ＣＭ（Ｃｏｍｍｅｒｃｉａｌ  Ｍｅｓｓａｇｅ）番組の受信方法、および、受信装置に関する。
【０００３】
【従来の技術】
画面サイズの大きなテレビジョン受像機には、主番組を視聴しながら裏番組がチェックできるよう、異なる複数の放送チャンネルの放送映像を同一画面を複数に分割して表示する、あるいは、親画面の中に子画面を表示する機能をもったものが実用化されている。
【０００４】
また、近年、放送メディアにおいて多チャンネル化が進んでおり、１つのシステムにおいてさえ、１００チャンネル程度の番組を視聴することが可能であるが、今後はますます視聴可能チャンネルが増加していくことが予想される。
【０００５】
このような多チヤンネルシステムにおいては、視聴者が好みのコンテンツを探し出すことが困難である。そこで、電子的な番組ガイドなどのように、地上波放送におけるＶＢＩ（Ｖｅｒｔｉｃａｌ  Ｂｌａｎｋｉｎｇ  Ｉｎｔｅｒｖａｌ）や、ＢＳ／ＣＳ衛星デジタル放送、あるいは、インターネットなどによって提供される、番組付加情報を利用した技術が必要不可欠となってきている。
【０００６】
一方、ＣＭは不特定の番組中に埋め込まれて送出されるため、ＣＭ提供を望む者とその視聴者が必ずしも一致しない。上記のような多チャンネルシステムにおいては、ＣＭ提供を望む者とその視聴者が一致する頻度はより一層低くなると考えられる。
【０００７】
このような問題を解決するための従来技術としては、視聴者が提供を望んでいる広告情報を抽出して前もって蓄積しておき、後に視聴者が提供を望まない広告情報と置き換えて画面に表示するものが提案されている（特許文献１）。
【０００８】
【特許文献１】
特開２００２−２７４２３号公報
【０００９】
【発明が解決しようとする課題】
しかしながら、上記従来技術では視聴者が視聴しているのとは別のチャンネルで同一の時間帯に裏番組として放送されているＣＭが、視聴者が提供を望むＣＭであったとしても、その場で視聴者に提供されることがないため、広告情報に重要な即時性が損なわれるという問題がある。
【００１０】
また、視聴者が望まないだろうと判断されたＣＭは、他のＣＭに置き換えられてしまい視聴者に提供されることがないため、視聴者の潜在的な需要にうったえる機会を失ってしまうという問題がある。
【００１１】
さらに、ＣＭを蓄積することを前提にした技術であるため、ハードディスクやそのコントローラなどの高価な装置を必要とし、コスト面での負担も大きくなってしまう問題がある。
【００１２】
本発明は、上記の問題を鑑み、視聴しているのとは別のチャンネルで同一の時間帯に裏番組として放送されている特定のＣＭを即時に確認でき、また、ＣＭが視聴者の潜在的な需要に訴える機会を失うことがなく、さらに、製造コストの切り下げメリットを享受することを目的とする。
【００１３】
【課題を解決するための手段】
上記の課題を解決するために、本発明（請求項１から６）に係る広告情報受信装置は、主番組を受信する主番組受信手段と、主番組と同一の時間帯に放送されている番組を受信する裏番組受信手段と、主番組と裏番組を合成する合成手段と、番組を表示する表示手段と、ＣＭの詳細情報を抽出するＣＭ情報抽出手段と、ＣＭの詳細情報を蓄積するＣＭ情報蓄積手段と、前記裏番組受信手段および前記合成手段を制御する制御手段と、受信するＣＭを規定するＣＭ特定情報を登録・蓄積するＣＭ特定情報登録手段とを備えたものである。
【００１４】
また、本発明（請求項７から１０）に係る広告情報受信方法は、主番組を受信するステップと、主番組と同一の時間帯に放送されている裏番組を受信するステップと、主番組と裏番組を合成するステップと、番組を表示するステップと、ＣＭの詳細情報を抽出するステップと、ＣＭの詳細情報を蓄積するステップと、裏番組の受信および主番組と裏番組の合成を制御するステップと、受信するＣＭを規定するＣＭ特定情報を登録・蓄積するステップとを有するものである。
【００１５】
【発明実施の形態】
以下に本発明の実施の形態について図面を用いて説明する。
【００１６】
図１は本発明の実施の形態における広告情報受信装置を実現するハードウェア構成の一例を示している。
【００１７】
図１の受信装置は視聴対象となる主番組を受信する主番組受信手段１０２、親子画面の子画面として表示される裏番組を受信する裏番組受信手段１０３、前記両受信器１０２、１０３の受信出力を親子画面に合成して複数画面表示する合成手段１０４、合成手段１０４の出力を画面表示する表示手段１０５、ＣＭの開始・終了を検出し、同時にＣＭの詳細情報を抽出するＣＭ情報抽出手段１０６、抽出されたＣＭ詳細情報を蓄積するＣＭ情報蓄積手段１０９、受信するＣＭを規定するＣＭ特定情報を登録・蓄積するＣＭ特定情報登録手段１０８、前記ＣＭ情報蓄積手段１０９から取得したＣＭ詳細情報と、前記ＣＭ特定情報登録手段１０８から取得したＣＭ特定情報とを比較分析し、前記裏番組受信手段１０３、および、前記合成手段１０４を制御する制御手段１０７、受信アンテナ１０１から構成されている。
【００１８】
主番組受信手段１０２、および、裏番組受信手段１０３は受信アンテナ１０１に共通接続されており、衛星放送、地上波放送、有線放送などの放送波を受信し復調再生する。放送波はアナログ放送、デジタル放送のどちらであってもよい。
【００１９】
合成手段１０４は、ＰｉｎＰ（Ｐｉｃｔｕｒｅ  ｉｎ  Ｐｉｃｔｕｒｅ）回路等で構成され、親画面表示のうちの子画面表示位置の映像にブランキング処理を施し、このブランキング処理された子画面表示位置に、走査線を画像圧縮率に応じて間引いた子画面の映像がはめ込まれる。
【００２０】
表示手段１０５としては、陰極線管（ＣＲＴ）或いは液晶表示パネル（ＬＣＤ）或いはプラズマディスプレイ（ＰＤＰ）等が用いられる。
【００２１】
ＣＭ特定情報登録手段１０８は不揮発性のメモリと、その書きこみ・読み出し装置等からなる。
【００２２】
制御手段１０７はマイクロコンピュータ等からなり、裏番組受信手段１０３、合成手段１０４、ＣＭ情報蓄積手段１０９、ＣＭ特定情報登録手段１０８と制御バスで接続されている。
【００２３】
ＣＭ情報抽出手段１０６は多重化されたデジタル信号から必要な情報を抜き出すデマルチプレクサ等からなる。
【００２４】
ＣＭ情報蓄積手段１０９は、ＣＭ情報抽出手段１０６により抜き出された複数のＣＭ詳細情報を蓄積する不揮発性メモリ等からなる。
【００２５】
次に、ＣＭ詳細情報の詳細に関して図２、３を用いて説明する。
【００２６】
ＣＭ情報抽出手段１０６によって抽出されるＣＭ詳細情報は、例えば衛星デジタル放送における番組付加情報と同様に、ＭＰＥＧ２ストリームのセクション形式データとして映像データ、音声データ、データ番組データと共に送出される。
【００２７】
本実施例では、ＣＭ詳細情報が衛星デジタル放送波によって提供される例を示したが、同様の情報はアナログ地上波放送におけるＶＢＩや、インターネットなどどのような形で提供されてもよい。このような場合、ＣＭ情報抽出手段１０６にはＶＢＩ検出回路や、モデム、イーサーネットアダプタ等が用いられる。
【００２８】
次に、本実施例において送出されるＣＭ詳細情報の一例を図３に示す。ＣＭ詳細情報はＣＭ識別番号３０１、送出時刻３０５、チャンネル３０６、ジャンル情報３０２、３０３、キーワード３０４等からなる。ＣＭ詳細情報は各ＣＭに対して１つずつ、そのＣＭが放送されるより以前、および、放送中に送出される。同一内容のＣＭが複数回放送される場合は、ＣＭ識別番号３０１等が同一で送出時刻の異なるＣＭ詳細情報が複数個送出される。これらの情報により、当該ＣＭがどのような広告情報を含むかを推定することができるとともに、ＣＭの放送開始、終了の時刻を知ることができる。
【００２９】
ここで、ＣＭ詳細情報が送出されるチャンネルであるが、例えばあるチャンネルで、全てのチャンネルで放送されるＣＭに関するＣＭ詳細情報が送出されていてもよいし、そのチャンネルで放送する予定のＣＭ詳細情報のみが送出されていてもよい。前者の場合は裏番組受信手段１０３がいずれかのチャンネルを受信していれば全てのチャンネルに関するＣＭ詳細情報を取得できる。後者の場合は裏番組受信手段１０３が巡回的に全てのチャンネルを受信することで、全てのチャンネルに関するＣＭ詳細情報を取得する。
【００３０】
図２にＣＭ送出の具体例を示す。図２はチャンネルＸ、Ｙ、Ｚの放送の時系列を表しており、現在視聴者はチャンネルＸを視聴している。時間帯Ａ、Ｄでは全チャンネルで番組本編が放送されている。時間帯ＢではチャンネルＹでＣＭ１が放送されている。時間帯ＣではチャンネルＹでＣＭ２が、チャンネルＺでＣＭ３が放送されている。ＣＭ１、ＣＭ２、ＣＭ３に関するＣＭ詳細情報は、前もってＣＭ情報蓄積手段１０９に蓄積されているため、ＣＭ１、ＣＭ２、ＣＭ３の開始・終了タイミング、および、広告内容の概要をそれぞれ独立して認識することができる。
【００３１】
次に、ＣＭ特定情報登録手段１０８に登録・蓄積されるＣＭ特定情報の一例に関して図４を用いて説明する。ＣＭ特定情報は、視聴者が情報提供を望むキーワード４０１、および、その優先順位４０２等からなる。
【００３２】
よって、図３、図４のようにＣＭ特定情報とＣＭ詳細情報に同一の単語（この場合、「野球」「グローブ」）が存在した場合、そのＣＭは視聴者が提供を望むものであると考えることができる。
【００３３】
もしも、異なるチャンネルで同時に複数のＣＭが放送されている場合で、かつ、複数のＣＭに関してＣＭ特定情報とＣＭ詳細情報に同一の単語が存在した場合、合致した単語の優先順位が高い方のＣＭの提供を視聴者は望んでいると考えることができる。
【００３４】
図５の場合、ＣＭ１は「グローブ」の１単語が、ＣＭ２は「グルメ」「おかず」「冷凍食品」の３単語がＣＭ特定情報内の単語と合致している。これらの単語の中でＣＭ１詳細情報内の「グローブ」の優先順が最も高いため、ＣＭ２よりもＣＭ１の優先度が高いと考えことができる。
【００３５】
また、異なるチャンネルで同時に複数のＣＭが放送されている場合で、かつ、複数のＣＭに関してＣＭ特定情報とＣＭ詳細情報に同一の単語が存在した場合、合致した単語の個数が多い方のＣＭの提供を視聴者は望んでいると考えてもよい。
【００３６】
図５の場合、ＣＭ１は１単語、ＣＭ２は３単語がＣＭ特定情報内の単語と合致しているので、ＣＭ１よりもＣＭ２の優先度が高いと考えることができる。
【００３７】
次に、本実施の形態による広告情報受信装置の動作について図６を用いて説明する。
【００３８】
ステップ６０１において視聴対象となる主番組を受信する。この時、図７に示すように主番組は親画面７０１上に表示され子画面は表示されない。
【００３９】
次に、ステップ６０２において、裏番組で１つでもＣＭが放送されていると判断される場合は、ステップ６０３に進む。裏番組で１つもＣＭが放送されていないときは、ステップ６０１に戻り、主番組のみの受信を続ける。
【００４０】
ステップ６０３において、放送されている全てのＣＭに関して、ＣＭ詳細情報とＣＭ特定情報が合致するかどうかを判定する。合致するＣＭが１つでもある場合はステップ６０４に進む。合致するＣＭが１つもない場合はステップ６０１に戻り、主番組のみの受信を続ける。
【００４１】
ステップ６０４において、ＣＭ詳細情報とＣＭ特定情報が合致する全てのＣＭに関してその優先度を比較し、もっとも優先度の高いＣＭが放送されているチャンネルを裏番組受信手段１０３で受信し子画面に表示する。この時、図８に示すように親画面８０１には主番組が、子画面８０２にはＣＭが表示される。表示するＣＭの優先度は、図５を用いて説明した前記の方法を採用する。
【００４２】
ステップ６０５において、子画面で表示していたＣＭが終了した場合、ステップ６０６において子画面を消去しステップ６０２に戻る。
【００４３】
また、本実施例においては主番組として受信されるＣＭに関して何らの操作も行わない。つまり、主番組として視聴者が意図的に選局して視聴しているＣＭに関しては、そのＣＭのＣＭ詳細情報とＣＭ特定情報が合致していないとしても視聴者にそのまま主画面上で提示される。このため、主番組として受信されるＣＭが、視聴者の潜在的な需要に訴える機会が失われてしまうことはない。
【００４４】
なお、本実施例においてはＣＭ特定情報に複数のキーワードが登録されていたが、ＣＭ特定情報にキーワードが一つも登録されていない、または、システム構成にＣＭ特定情報登録手段１０８が存在しなくてもよい。この場合、ＣＭ情報抽出手段１０６はＣＭの開始、次ＣＭへの遷移、ＣＭの終了タイミングを検出するためのみに使用される。また、この場合図６の動作フローからステップ６０２は無くなってよい。つまり、裏番組でＣＭが放送されている場合、無条件にそのＣＭは子画面に表示される。この場合、視聴者は提供を望まないＣＭも全て視聴してしまうことになるが、提供を望むＣＭを見逃してしまうことはない。
【００４５】
また、本実施例ではＣＭを子画面に表示したが、ＣＭを親画面に主番組を子画面に表示するようにしてもよい。あるいは、ＣＭを画面に表示せずＣＭの開始をＯＳＤ（Ｏｎ  Ｓｃｒｅｅｎ  Ｄｉｓｐｌａｙ）や、音声などで通知してもよい。さらに、この場合の通知手段は他のどのような手段であってもよい。
【００４６】
【発明の効果】
以上のように、本発明によれば、以下の効果を奏する。
【００４７】
ＣＭを放送しているのとは異なるチャンネルを視聴している場合でも、特定のＣＭを子画面により確認することができるため、ＣＭ提供を望む者とその視聴者が一致する頻度が高くなる。
【００４８】
また、従来の技術のように一旦蓄積したＣＭを後日視聴者に提供するのではなく、放送されるのと同時にＣＭを視聴者に提供することができる構成にしたため、広告情報にとって重要な即時性が損なわれることがない。
【００４９】
さらに、従来の技術と違い、視聴者が望まないと判断されるＣＭも視聴者に提供することができる構成としたため、視聴者の潜在的な需要にうったえる機会を失ってしまうことがない。
【００５０】
その他、従来の技術と違いＣＭの蓄積を必要としない構成としたため、ハードディスクやそのコントローラ等を必要としない。よって、小型軽量化や製造コストの切り下げ等のメリットを享受することができる。
【図面の簡単な説明】
【図１】本発明の実施の形態における広告情報受信装置のハードウェア構成の一例を示すブロック図
【図２】本発明の実施の形態におけるＣＭ送出の時系列の一例を示す図
【図３】本発明の実施の形態におけるＣＭ詳細情報のデータ構成の一例を示す図
【図４】本発明の実施の形態におけるＣＭ特定情報のデータ構成の一例を示す図
【図５】本発明の実施の形態におけるＣＭの表示優先度決定の説明図
【図６】本発明の実施の形態における広告情報受信装置の動作フロー図
【図７】本発明の実施の形態における広告情報受信装置において主番組のみ表示している場合の画面状態図
【図８】本発明の実施の形態における広告情報受信装置において主番組とＣＭを表示している場合の画面状態図
【符号の説明】
１０１  受信アンテナ
１０２  主番組受信手段
１０３  裏番組受信手段
１０４  合成手段
１０５  表示手段
１０６  ＣＭ情報抽出手段
１０７  制御手段
１０８  ＣＭ特定情報登録手段
１０９  ＣＭ情報蓄積手段
３０１  ＣＭ詳細情報のＣＭ識別番号
３０２  ＣＭ詳細情報のジャンル情報（ジャンル１）
３０３  ＣＭ詳細情報のジャンル情報（ジャンル２）
３０４  ＣＭ詳細情報のキーワード
３０５  ＣＭ詳細情報の送出時刻
３０６  ＣＭ詳細情報のチャンネル
４０１  ＣＭ特定情報のキーワード
４０２  ＣＭ特定情報のキーワードの優先順位
６０１  受信機の動作ステップ１
６０２  受信機の動作ステップ２
６０３  受信機の動作ステップ３
６０４  受信機の動作ステップ４
６０５  受信機の動作ステップ５
６０６  受信機の動作ステップ６
７０１  主番組表示の親画面
８０１  主番組表示の親画面
８０２  ＣＭ表示の子画面
【図１】
2004236269.tif 000003
【図２】
2004236269.tif 000004
【図３】
2004236269.tif 000005
【図４】
2004236269.tif 000006
【図５】
2004236269.tif 000007
【図６】
2004236269.tif 000008
【図７】
2004236269.tif 000009
【図８】
2004236269.tif 000010